(57)【特許請求の範囲】
【請求項１】
枠体と上下左右のアングル材と枠体に建て込む障子とを備え、枠体は、四周枠組みした樹脂製枠の外周に上下左右の額縁を取り付けたものであり、額縁は断熱性を有する部材からなり、下アングル材は仮設住宅の既設サッシの下枠に取り付けてあり、枠体は、下アングル材に載置して固定してあり、上額縁及び左右額縁を上及び左右アングル材で躯体に固定してあることを特徴とする仮設住宅用内窓。
【発明の詳細な説明】
【技術分野】
【０００１】
本発明は、仮設住宅の既設サッシに取り付ける仮設住宅用内窓に関するものである。
【背景技術】
【０００２】
既存サッシの室内側に内窓を取り付けて二重サッシとすることで、断熱性を向上させるものがあった。
【発明の概要】
【発明が解決しようとする課題】
【０００３】
緊急災害時に自宅を失った被災者が借りの宿として移り住む仮設住宅では、一般住宅と比較して簡易な構造であり、従来の内窓を取り付けることができなかった。即ち、従来の内窓は、既設サッシの室内側の窓台（額縁）に取り付けるものであり、仮設住宅のようにサッシの室内側に窓台等の取り付けスペースがない場合には取り付けることができなかった。このことから仮設住宅用のサッシは断熱性能に劣るために、窓からの寒気や熱気が十分に遮断されず、被災者は厳しい生活環境を強いられる問題点があった。
本発明は、上記課題を鑑みてなされたものであり、仮設住宅において作業負担が軽く簡単な施工で断熱性を確保できる仮設住宅用内窓を提供することにある。
【課題を解決するための手段】
【０００４】
本発明は、 枠体と上下左右のアングル材と枠体に建て込む障子とを備え、枠体は、四周枠組みした樹脂製枠の外周に上下左右の額縁を取り付けたものであり、額縁は断熱性を有する部材からなり、下アングル材は仮設住宅の既設サッシの下枠に取り付けてあり、枠体は、下アングル材に載置して固定してあり、上額縁及び左右額縁を上及び左右アングル材で躯体に固定してあることを特徴とする。
【発明の効果】
【０００５】
本発明によれば、樹脂製枠の外周の四周に上下左右の額縁を取り付けて枠体を形成し、その枠体を仮設住宅の既設サッシの下枠に取り付けた下アングル材に載置して固定し、さらに、上額縁及び左右額縁を上及び左右のアングル材で躯体に固定する構造であることから、作業負担が軽く容易な施工で仮設住宅の既設サッシに内窓を取り付けることができる。したがって、比較的簡易な構造の仮設住宅であっても、被災者が快適に住むことができる。
【図面の簡単な説明】
【０００６】
【図１】図２中Ａ−Ａ線断面図である。
【図２】（ａ）は、本実施による内窓の正面図であり、（ｂ）は、（ａ）中Ｂ−Ｂ線断面図である。
【図３】（ａ）〜（ｃ）は、本実施による内窓の施工手順を示す簡略化した図である。
【発明を実施するための形態】
【０００７】
以下に、図面に基づいて本実施による仮設住宅用内窓の実施の形態を説明する。
本実施による仮設住宅用内窓は、図１と図２（ａ）（ｂ）のように、仮設住宅の既設サッシ９の内窓として取り付けるものであり、枠体１と、上アングル材３ａと、下アングル材３ｂと、左右のアングル材３ｃ，３ｄと、外障子６ａと内障子６ｂからなっている。枠体１は、図２（ａ）のように、樹脂製枠１ａを上下左右に四周枠組みし、その外周に上下左右の額縁２ａ〜２ｄを取り付けたものである。上額縁２ａ、下額縁２ｂ、左右額縁２ｃ，２ｄは、断面略矩形をなす木製の部材であり、既設サッシ９の下枠８と下アングル材３ｂ及び仮設住宅の鉄骨（躯体）５と上及び左右のアングル材３ａ，３ｃ，３ｄと樹脂製枠１ａや外障子６ａ、内障子６ｂの間に位置することで室外と室内を断熱するものである。また、左右額縁２ｃ，２ｄには外周部室外側に額縁２ｃ，２ｄの長手方向に連続する溝１０が設けてあり、この溝１０には、左右のアングル材３ｃ，３ｄの他方片４ｂが取り付けられるが、左右のアングル材３ｃ，３ｄを取り付けたときに他方片４ｂが溝１０に入ることで、他方片４ｂが左右額縁２ｃ，２ｄの外周側から突出しない（図２（ｂ）参照）。また、額縁２ａ〜２ｄは、樹脂製枠１ａの外周側に、樹脂製枠１ａの内周側からネジ７止めして固定してあり、額縁２ａ〜２ｄで樹脂製枠１ａの外周を囲むように配置してある（図２（ａ）参照）。下アングル材３ｂは、略垂直な取付片２３ａと略水平な載置片２３ｂとからなる断面略Ｌ字型をなすものであり、取付片２３ａは、既設サッシ９の下枠８室内側にネジ７で固定してあり、載置片２３ｂは、取付片２３ａの上端から室内側に略水平に延びている（図１参照）。上及び左右のアングル材３ａ，３ｃ，３ｄは、下アングル材３ｂと同様に断面略Ｌ字型をなしており、Ｌ字の一方片４ａが仮設住宅の鉄骨（躯体）５にネジ７で固定するものであり、他方片４ｂは、一方片４ａの一側端から室内側に延びており、上額縁２ａ及び左右額縁２ｃ，２ｄにネジ７で固定するものである（図１及び図２（ｂ）参照）。外障子６ａと内障子６ｂは、樹脂製框を四周框組みし、その框組した内周にガラスパネル２４を取り付けるもので、枠体１の各樹脂製枠の内周に建て込まれており、内窓を引違い窓として形成している。
【０００８】
上記のように構成する仮設住宅用内窓の施工手順は、第一手順として図３（ａ）のように、四周枠組みした樹脂製枠１ａの外周側に、上額縁２ａ、下額縁２ｂ、左右額縁２ｃ，２ｄをそれぞれ樹脂製枠１ａの内周側からネジ７で固定して枠体１を形成する。第二手順として図３（ｂ）のように、仮設住宅の既存サッシ９の下枠８の室内側に、下アングル材３ｂをネジ７で固定し、下アングル材３ｂの載置片２３ｂに枠体１を載置し、取付位置調整した後で載置片２３ｂの下方からネジ７でネジ止めして固定する。第三手順として図３（ｃ）のように、下アングル材３ｂの載置片２３ｂに載置して固定してある枠体１の上額縁２ａ、左右額縁２ｃ，２ｄの外周側に、上及び左右のアングル材３ａ，３ｃ，３ｄの他方片４ｂをそれぞれネジ７でネジ止めして固定するとともに、仮設住宅の鉄骨（躯体）５に上及び左右のアングル材３ａ，３ｃ，３ｄの一方片４ａをネジ７でネジ止めして固定することにより、本実施による内窓の取り付けが完了する。
【０００９】
上記の施工手順を経て形成された本実施による仮設住宅用内窓は、仮設住宅の既設サッシ９の下枠８に取り付けた下アングル材３ｂに枠体１を載置し、その枠体１の下額縁２ｂを下アングル材３ｂにネジ７で固定することにより、枠体１の荷重を下アングル材３ｂで受けた状態とするので、作業者が枠体１を所定の取付位置まで持ち上げながら既設サッシ９や鉄骨（躯体）５にネジ７でネジ止めするような作業が不要となり、作業時に負担が軽減された状態で枠体１を所定の取付位置に位置決めできる。さらに、上記のように枠体１を下アングル材３ｂに位置決めした状態とし、上及び左右のアングル材３ａ，３ｃ，３ｄにより、上額縁２ａ及び左右額縁２ｃ，２ｄを仮設住宅の鉄骨（躯体）５に固定するので、従来の内窓を取り付けることができなかった仮設住宅に内窓を簡単に取付できる。また、上下左右のアングル材３ａ〜３ｄと樹脂製枠１ａが断熱性を有する木製の額縁２ａ〜２ｄにネジ７で固定してあることにより、室外の寒気や熱気が断熱され、室内環境が快適になる。
【００１０】
上記各実施形態では、枠体１の外周の四周に上額縁２ａと下額縁２ｂ、左右額縁２ｃ，２ｄを取り付けたものを下アングル材３ｂに載置し、その下額縁２ｂを下アングル材３ｂにネジ７で固定する手順について記載したが、その他の手順でも施工が行える。上下左右の樹脂製枠１ａに上下左右の額縁２ａ〜２ｄをそれぞれ取り付けたものを四周枠組みして枠体１を形成し、その枠体１を下アングル材３ｂに載置して固定し、上及び左右のアングル材３ａ，３ｃ，３ｄで仮設住宅の鉄骨（躯体）５に固定する手順とするもの。さらに、上及び左右のアングル材３ａ，３ｃ，３ｄを取り付けた枠体１を下アングル材３ｂに載置して固定し、上及び左右のアングル材３ａ，３ｃ，３ｄの他方片４ｂを仮設住宅の鉄骨（躯体）５に固定する手順であってもよい。また、枠体１は、予め工場で枠組みして出荷されるが、取付現場で枠組みするものであってもよい。さらに、上額縁２ａと下額縁２ｂ、左右額縁２ｃ，２ｄが木製のものについて記載したが、その他樹脂等の断熱性を有する部材で形成してもよい。
【符号の説明】
【００１１】
１  枠体
１ａ  樹脂製枠
２ａ  上額縁（額縁）
２ｂ  下額縁（額縁）
２ｃ  左右額縁（額縁）
２ｄ  左右額縁（額縁）
３ａ  上アングル材（アングル材）
３ｂ  下アングル材（アングル材）
３ｃ  左右のアングル材（アングル材）
３ｄ  左右のアングル材（アングル材）
５  鉄骨（躯体）
６ａ  外障子（障子）
６ｂ  内障子（障子）
８  下枠
９  既設サッシ
【図１】
0005719746.tif 000002
【図２】
0005719746.tif 000003
【図３】
0005719746.tif 000004